(57)【要約】【課題】ワイヤハーネスの取り付け固定時に破断が生じることなく、また、ワイヤハーネスの取り外し時には破断がし易くなるバンドクリップを提供する。【解決手段】バンドクリップ２１は、ワイヤハーネス２２に巻き付きこれを保持するためのバンド２４と、パネル部材２３に係止されるクリップ本体２５とを備える。クリップ本体２５は、ワイヤハーネス２２に接触するハーネス接触部３１とパネル部材２３に係止される係止部２６との間の支柱部２９にバンド２４を通すためのバンド通し穴２８を貫通形成するとともに、このバンド通し穴２８の形成により生じる一対の左穴壁３２、右穴壁３３にワイヤハーネス２２の取り外し方向Ａの力によって破断する切り込み部３６を形成してなる。【選択図】図１
2008172936.tif 000002
【特許請求の範囲】
【請求項１】
ワイヤハーネスに巻き付きこれを保持するためのバンドと、前記ワイヤハーネスの取り付け対象となる取付部材に対し係止されるクリップ本体とを備え、これらは部品として別体であるものの前記ワイヤハーネスを前記取付部材に取り付け固定する際には一体化してなるバンドクリップにおいて、
前記クリップ本体は、前記ワイヤハーネスに接触するハーネス接触部と前記取付部材に対し係止される係止部との間の部分に前記バンドを通すためのバンド通し穴を貫通形成するとともに、該バンド通し穴の形成により生じる一対の穴壁の少なくとも一つに前記ワイヤハーネスの取り外し方向の力によって破断する切り込み部を形成してなる
ことを特徴とするバンドクリップ。
【請求項２】
請求項１に記載のバンドクリップにおいて、
前記切り込み部を外に向かって次第に間隔の広がる形状に形成し、前記切り込み部の開口縁部には、間隔を狭める方向に凸となる突起を形成する
ことを特徴とするバンドクリップ。
【請求項３】
請求項１又は請求項２に記載のバンドクリップにおいて、
前記バンドの保持位置と前記係止部の係止位置とを略同一直線上に合わせる場合、前記ハーネス接触部と前記係止部との間の部分を直線的な支柱状の形状に形成し、前記保持位置と前記係止位置とをずらす場合には、前記バンド通し穴と前記係止部との間に位置ずらし部分を設けて略クランク形状に形成する
ことを特徴とするバンドクリップ。
【発明の詳細な説明】
【技術分野】
【０００１】
本発明は、バンドとクリップ本体とを備えるバンドクリップに関し、詳しくは、ワイヤハーネスを車両から取り外す際に解体可能となるバンドクリップに関する。
【背景技術】
【０００２】
図７において、車両に配索されるワイヤハーネス１は、合成樹脂製のクリップ２を用いて車両のパネル部材３に取り付け固定されている。ワイヤハーネス１とクリップ２との固定は、テープ巻き４によって行われている。また、クリップ２とパネル部材３との固定は、クリップ２の係止部５をパネル部材３の係止穴６に引っ掛けて係止させることにより行われている（下記特許文献１参照）。
【０００３】
図７及び図８を参照しながらクリップ２の構造について説明をする。クリップ２は、上記の係止部５と、ワイヤハーネス１に接触してテープ巻き４が二箇所において行われるハーネス接触板部７と、支柱部８と、破断部９と、パネル当接部１０とを有して図示のような形状に形成されている。支柱部８の一端には、係止部５が連成されている。また、支柱部８の他端には、破断部９が介在する状態でハーネス接触板部７が連成されている。破断部９は、ハーネス接触板部７の肉厚に比べて十分に薄肉となる部分であって、支柱部８の他端の側部全周にわたって形成されている。破断部９は環状に形成されている。尚、支柱部８の他端の端面とワイヤハーネス１との間には、若干の隙間が生じるような構造になっている。
【０００４】
上記構成において、ワイヤハーネス１にクリップ２のハーネス接触板部７を沿わせてテープ巻き４を二箇所施し、この状態からクリップ２の係止部５をパネル部材３の係止穴６に差し込んで係止させると、ワイヤハーネス１はパネル部材３に対して取り付け固定される。クリップ２は、パネル当接部１０や係止部５によってパネル部材３を挟み込む構造であることから、後述する破断がない限りワイヤハーネス１の取り付け固定状態は保持される。
【０００５】
ワイヤハーネス１を車両から取り外す解体の際には、図７（ｂ）の矢印方向に力を加える。この時、クリップ２のハーネス接触板部７に形成される凸部１１が支点になると、クリップ２の破断部９に力が集中して破断が生じる。破断部９の全周にわたって破断が生じると、クリップ２は破断部９の位置で支柱部８とハーネス接触板部７とが分離し、これによってワイヤハーネス１の取り外しが完了する。
【０００６】
尚、ワイヤハーネスをパネル部材に対して取り付け固定する他の技術としては、下記特許文献２の技術も知られている。下記特許文献２においては、ワイヤハーネスに巻き付きこれを保持するためのバンドと、パネル部材に対し係止されるクリップ本体とを備えてなるバンドクリップの技術が開示されている。このバンドクリップには、上記破断部９に相当する部分がないことから、ワイヤハーネスを車両から取り外す解体は容易に行えないようになっている。
【特許文献１】特開２００２−３６４７７９号公報
【特許文献２】特開平９−１００９５３号公報
【発明の開示】
【発明が解決しようとする課題】
【０００７】
ところで、上記従来技術のクリップ２にあっては、ワイヤハーネス１をパネル部材３に対し取り付け固定する際に、係止部５をパネル部材３の係止穴６に差し込んで係止させる作業があることから、次のような問題点を有している。すなわち、クリップ２の構造上、作業者による押し込みの力が破断部９に掛かってしまい、この押し込みの力が強い場合には、破断部９に破断が生じてしまうことになる。従って、ワイヤハーネス１を固定するという機能を場合によっては十分に維持することができないという問題点を有している。
【０００８】
また、上記従来技術のクリップ２にあっては、破断部９をこの全周にわたって破断させないとワイヤハーネス１を車両から取り外すことができない構造になっていることから、次のような問題点を有している。すなわち、ワイヤハーネス１の取り外しの際に破断部９を全周にわたって破断させることが容易に行えないこともあり、これが作業性に係る問題点となっている。
【０００９】
さらに、上記従来技術のクリップ２にあっては、破断部９を破断させるとこの位置で支柱部８とハーネス接触板部７とが分離する構造であることから、次のような問題点を有している。すなわち、ワイヤハーネス１を車両から取り外すとハーネス接触板部７が一緒について行ってしまうことから、解体の際に材質毎に分離するという面で支障を来すという問題点を有している。
【００１０】
本発明は、上述した事情に鑑みてなされたもので、ワイヤハーネスの取り付け固定時に破断が生じることなく、また、ワイヤハーネスの取り外し時には破断がし易くなるという相反する二つの命題を十分に解決することが可能なバンドクリップを提供することを課題とする。また、解体時にバンドとクリップ本体とを容易に分離させることが可能なバンドクリップを提供することを課題とする。
【課題を解決するための手段】
【００１１】
上記課題を解決するためになされた請求項１記載の本発明のバンドクリップは、ワイヤハーネスに巻き付きこれを保持するためのバンドと、前記ワイヤハーネスの取り付け対象となる取付部材に対し係止されるクリップ本体とを備え、これらは部品として別体であるものの前記ワイヤハーネスを前記取付部材に取り付け固定する際には一体化してなるバンドクリップにおいて、前記クリップ本体は、前記ワイヤハーネスに接触するハーネス接触部と前記取付部材に対し係止される係止部との間の部分に前記バンドを通すためのバンド通し穴を貫通形成するとともに、該バンド通し穴の形成により生じる一対の穴壁の少なくとも一つに前記ワイヤハーネスの取り外し方向の力によって破断する切り込み部を形成してなることを特徴としている。
【００１２】
このような特徴を有する本発明によれば、先ず、クリップ本体のバンド通し穴にバンドを挿通し、この挿通したバンドをワイヤハーネスに巻き付けてワイヤハーネスを保持する。バンドによるワイヤハーネスの保持が完了すると同時に、バンドとクリップ本体との一体化も完了する。バンドはバンド通し穴に挿通状態であることから、この時点でのバンドとクリップ本体との分離は不能となる。次に、クリップ本体の係止部を取付部材に係止すると、ワイヤハーネスの取付部材に対する取り付け固定が完了する。クリップ本体のバンド通し穴の穴壁には、切り込み部が形成されているが、ワイヤハーネスを取り付け固定する作業の過程で取り外しの方向の力が作用しないことから、切り込み部の位置で破断は生じることがない。ワイヤハーネスの取り付け固定の状態は確実に維持される。
【００１３】
切り込み部は、クリップ本体のバンド通し穴の穴壁自体に形成され、当然に穴壁の外側に連続するような環状薄肉の部分でないことから、クリップ本体の係止部を取付部に差し込む際の作業者による押し込みの力、言い換えればワイヤハーネスの取り付け方向の力が作用しても破断（この場合では挫屈）することはない。尚、バンド通し穴をバンドとほぼ同じ大きさに貫通形成すれば、上記の押し込みの力を受ける面積が実質的に広がることになる。従って、より一層良好な状態になる。
【００１４】
ワイヤハーネスを車両から取り外す解体の際においては、ワイヤハーネスを持って引き上げるような力、すなわち取り外しの方向の力を掛けると、クリップ本体の切り込み部の位置で破断が生じる。そして、切り込み部が破断した状態でバンドがこの破断部分の割れ目を通過するようにクリップ本体をスライドさせると、バンドとクリップ本体との分離が完了する。ワイヤハーネス側にはバンドが残り、取付部材側にはクリップ本体が残る。尚、クリップ本体の一部がワイヤハーネス側に残るようなことはない。完全分離となる。バンドとクリップ本体との分離が完了すると、バンドはワイヤハーネスとの間にクリップ本体の一部が挟み込まれてない状態になることから、ワイヤハーネスの端末まで容易にスライドさせて取り外すことができるようになる。若しくは、スライドさせずにハサミ等で取り外すことも容易である。
【００１５】
この他、本発明によれば、バンドとクリップ本体とが別体の部品であることから、別材料、別色にすることが可能になる。リサイクルを容易にすることが可能なバンドクリップになる。
【００１６】
請求項２記載の本発明のバンドクリップは、請求項１に記載のバンドクリップにおいて、前記切り込み部を外に向かって次第に間隔の広がる形状に形成し、前記切り込み部の開口縁部には、間隔を狭める方向に凸となる突起を形成することを特徴としている。
【００１７】
このような特徴を有する本発明によれば、ワイヤハーネスの取り外し方向の力が切り込み部に作用した時に破断し易い形状として、外に向かって次第に間隔の広がる形状が挙げられ、切り込み部の開口縁部に突起を形成することで、ワイヤハーネスの取り付け方向の力が作用した時に挫屈し難い形状となる。また、開口縁部に突起を形成することで、切り込み部の内部に異物が入り込まないようになる。
【００１８】
請求項３記載の本発明のバンドクリップは、請求項１又は請求項２に記載のバンドクリップにおいて、前記バンドの保持位置と前記係止部の係止位置とを略同一直線上に合わせる場合、前記ハーネス接触部と前記係止部との間の部分を直線的な支柱状の形状に形成し、前記保持位置と前記係止位置とをずらす場合には、前記バンド通し穴と前記係止部との間に位置ずらし部分を設けて略クランク形状に形成することを特徴としている。
【００１９】
このような特徴を有する本発明によれば、バンドの保持位置とクリップ本体の係止部の係止位置とに自由度を持たせることが可能になる。これにより、ワイヤハーネスの配索に係る自由度が高まることになる。
【発明の効果】
【００２０】
請求項１に記載された本発明によれば、ワイヤハーネスの取り付け固定時に破断が生じることなく、また、ワイヤハーネスの取り外し時（解体時）には破断がし易くなるバンドクリップを提供することができるという効果を奏する。また、ワイヤハーネスの取り外し時（解体時）にバンドとクリップ本体とが容易に分離するようなバンドクリップを提供することができるという効果を奏する。
【００２１】
請求項２に記載された本発明によれば、より一層良好な形状の切り込み部にすることができるという効果を奏する。
【００２２】
請求項３に記載された本発明によれば、ワイヤハーネスの配索に係る自由度を高めることができるという効果を奏する。
【発明を実施するための最良の形態】
【００２３】
以下、図面を参照しながら説明する。図１は本発明のバンドクリップの一実施の形態を示す構成図である。また、図２はクリップ本体の正面図、図３はクリップ本体の斜視図、図４はバンドクリップの解体作業を示す図である。
【００２４】
図１において、引用符号２１は車両に配索されるワイヤハーネス２２を車両の例えばパネル部材２３（取付部材）に取り付け固定するために用いられるバンドクリップを示している。バンドクリップ２１は、ワイヤハーネス２２に巻き付きこれを保持するためのバンド２４と、パネル部材２３に対し係止されるクリップ本体２５とを備えて構成されている。バンドクリップ２１を構成するバンド２４及びクリップ本体２５は、部品として別体であるものの、ワイヤハーネス２２をパネル部材２３に取り付け固定する際には一体化するようになっている。また、バンドクリップ２１は、ワイヤハーネス２２を車両から取り外す際に解体可能な構造となるようになっている。
【００２５】
以下、図１ないし図３を参照しながらクリップ本体２５について説明する（バンド２４は公知の結束バンドを用いるものとし説明を省略する）。クリップ本体２５は、合成樹脂製の部品であって、係止部２６と、パネル当接部２７と、バンド通し穴２８が貫通する支柱部２９とを有して構成されている。
【００２６】
係止部２６は、支柱部２９の一端に連成されている。係止部２６には、可撓性を有する係止羽根３０が複数形成されている。係止羽根３０は、この先端がパネル部材２３の係止穴に引っ掛かるように形成されている。係止部２６は、係止穴に差し込まれてパネル部材２３の裏面側に突出するようになっている。パネル当接部２７は、支柱部２９の一端側の側部に形成されている。パネル当接部２７は、環状の部分であって、この環状の部分の先端がパネル部材２３の表面に当接するようになっている。係止部２６及びパネル当接部２７は、従来同様の形状に形成されている。
【００２７】
支柱部２９は、断面略長方形状（一例であり円形でも良いものとする）となる形状に形成されている。また、支柱部２９は、バンド２４の保持位置と係止部２６の係止位置とが略同一直線上となるような直線的な支柱状の形状に形成されている。支柱部２９は、ワイヤハーネス２２をパネル部材２３から所定の間隔で離すことができるように形成されている。支柱部２９の他端の端面は、平坦な面となるように形成されている。この端面は、ワイヤハーネス２２に接触するハーネス接触面３１（ハーネス接触部）となっている（バンドクリップ２１は、バンド２４を構成に含むことから、従来例のようなテープ巻き及びハーネス接触板部をクリップ本体２５に形成する必要がなく、支柱部２９にハーネス接触面３１を形成するだけで十分である）。
【００２８】
このような支柱部２９に貫通するバンド通し穴２８は、支柱部２９の軸に対して直交する方向に貫通形成されている。バンド通し穴２８は、バンド２４の形状に合わせて形成されている。特に限定するものではないが、本形態においてバンド通し穴２８は、この開口面積がバンド２４の断面積よりも若干大きくなる程度の図示のような形状に形成されている。
【００２９】
支柱部２９は、バンド通し穴２８の存在により、図面の紙面、上下左右に穴壁がそれぞれ形成されている。本明細書ではこれらを区別するために、バンド通し穴２８の左右両側で一対ある部分を特許請求の範囲の穴壁に相当する左穴壁３２、右穴壁３３とし、ワイヤハーネス２２とバンド２４とに挟み込まれる部分を上穴壁３４、係止部２６側を下穴壁３５とするものとする。支柱部２９は、上記の如く断面略長方形状であり、本形態において左穴壁３２及び右穴壁３３は、長方形の一つの対角線上に位置するように形成されている。
【００３０】
左穴壁３２及び右穴壁３３には、ワイヤハーネス２２の取り外し方向（図１の矢印Ａ参照）の力によって破断する切り込み部３６がそれぞれ形成されている（どちらか一方に形成しても良いものとする）。各切り込み部３６は、左穴壁３２及び右穴壁３３の肉厚中間位置から外面にかけて形成されている。各切り込み部３６は、外に向かって次第に間隔の広がる形状に形成されている。各切り込み部３６の開口縁部には、間隔を狭める方向（図では上方）に凸となる突起３７が形成されている。
【００３１】
各切り込み部３６は、左穴壁３２及び右穴壁３３と、上穴壁３４とが連続する位置（図２のＢ面参照）に形成されている。各切り込み部３６は、Ｂ面に一致する水平方向の部分と斜め下方向の部分とで、次第に間隔の広がる形状に形成されている。突起３７は、斜め下方向の部分に形成されている。突起３７は、例えば図示の如くの三角形状であって、この頂部がＢ面から僅かに離れる程度となるように形成されている。突起３７は、左穴壁３２及び右穴壁３３にワイヤハーネス２２の取り付け方向の力（係止部２６を差し込む方向の力）が大きく作用した時に、頂部がＢ面に当接して挫屈を防止するような機能を有している。また、突起３７は、切り込み部３６の内部に異物が入り込まないようにするための機能も有している。
【００３２】
次に、上記構成及び構造に基づいてワイヤハーネス２２の取り付け作業と、取り外し作業（解体作業）とを順に説明する。尚、ワイヤハーネス２２の取り付け作業は図１を参照し、取り外し作業（解体作業）は図１及び図４を参照するものとする。
【００３３】
ワイヤハーネス２２の取り付け作業は、先ず、クリップ本体２５のバンド通し穴２８にバンド２４を挿通し、この挿通したバンド２４をワイヤハーネス２２に巻き付けてワイヤハーネス２２を保持する。バンド２４によるワイヤハーネス２２の保持が完了すると、これと同時にバンド２４とクリップ本体２５との一体化も完了する。バンド２４はバンド通し穴２８に挿通状態であることから、この時点でのバンド２４とクリップ本体２５との分離は不能となる。次に、クリップ本体２５の係止部２６をパネル部材２３に差し込み係止すると、ワイヤハーネス２２のパネル部材２３に対する取り付け固定が完了する。
【００３４】
ワイヤハーネス２２を取り付け固定する作業の過程において、取り外しの方向（図１の矢印Ａ参照）の力は作用しないことから、切り込み部３６の位置での破断はなく、結果、ワイヤハーネス２２の取り付け固定の状態が確実に維持される。
【００３５】
ワイヤハーネス２２の取り外し作業は、解体などの必要性によりワイヤハーネス２２を車両から取り外す際に行われる作業であって、ワイヤハーネス２２を持って引き上げるような力、すなわち取り外しの方向（図１の矢印Ａ参照）の力を掛けると、図４（ａ）に示す如くクリップ本体２５の一方の切り込み部３６の位置で破断が生じる。そして、一方の切り込み部３６が破断した状態でバンド２４を、この破断部分の割れ目を通過するようにクリップ本体２５をスライドさせると、バンド２４とクリップ本体２５との分離が完了する。ワイヤハーネス２２側にはバンド２４が残り、パネル部材２３側にはクリップ本体２５が残る。この時、クリップ本体２５の一部がワイヤハーネス２２側に残るようなことはない。バンド２４とクリップ本体２５は、完全に分離する。
【００３６】
バンド２４とクリップ本体２５との分離が完了すると、バンド２４はワイヤハーネス２２との間にクリップ本体２５の一部（上穴壁３４）が挟み込まれてない状態になることから、ワイヤハーネス２２の端末まで容易にスライドさせて取り外すことができるようになる（スライドさせずにハサミ等で取り外すことも可能）。
【００３７】
以上、図１ないし図４を参照しながら説明してきたように、本発明のバンドクリップ２１は、ワイヤハーネス２２の取り付け固定時に破断が生じることなく、また、ワイヤハーネス２２の取り外し時（解体時）には破断がし易くなるようなものとなっている。また、本発明のバンドクリップ２１は、ワイヤハーネス２２の取り外し時（解体時）にバンド２４とクリップ本体２５とが容易に分離するようなものとなっている。従って、本発明のバンドクリップ２１は、従来の問題点を解消することができるという効果を奏する。
【００３８】
図５は切り込み部の変形例を示す図である。図５に示すクリップ本体２５の切り込み部３６′は、上記突起３７が存在しない点で異なっている。切り込み部３６′は、異物の入り込みの可能性を有するものの形状が単純であるという利点を有する。
【００３９】
図６はクリップ本体の変形例を示す斜視図である。図６に示すクリップ本体４１は、バンド通し穴２８と係止部２６との間に位置ずらし部分４２を設けて略クランク形状に形成している点が上記クリップ本体２５と異なっている。図６の例は、バンド２４の保持位置と係止部２６の係止位置とがずれる場合に有用なクリップ本体４１となっている。尚、引用符号４３は第一支柱部、引用符号４４は第二支柱部を示している。第一支柱部４３と第二支柱部４４は、位置ずらし部分４２によって連結されている。第一支柱部４３には、バンド通し穴２８、ハーネス接触面３１、左穴壁３２、右穴壁３３、切り込み部３６等が形成されている。第二支柱部４４には、係止部２６及びパネル当接部２７が形成されている。位置ずらし部分４２は板状に形成されているが、これは一例であるものとする。
【００４０】
その他、本発明は本発明の主旨を変えない範囲で種々変更実施可能なことは勿論である。
【図面の簡単な説明】
【００４１】
【図１】本発明のバンドクリップの一実施の形態を示す構成図である。
【図２】クリップ本体の正面図である。
【図３】クリップ本体の斜視図である。
【図４】バンドクリップの解体作業を示す図であり、（ａ）は引き上げた方向の穴壁だけが破断した状態を示す図、（ｂ）は破断した割れ目からバンドを取り外す状態を示す図である。
【図５】切り込み部の変形例を示す図である。
【図６】クリップ本体の変形例を示す斜視図である。
【図７】従来例のクリップ及びワイヤハーネスの説明図であり、（ａ）はワイヤハーネスをパネル部材に取り付け固定した状態を示す図、（ｂ）はワイヤハーネスを取り外す途中の状態を示す図、（ｃ）はワイヤハーネスを取り外して分離が完了した状態を示す図である。
【図８】図７のクリップの図であり、（ａ）はワイヤハーネスに接触する側から見た時の斜視図、（ｂ）は（ａ）のＣ−Ｃ線断面図である。
【符号の説明】
【００４２】
２１  バンドクリップ
２２  ワイヤハーネス
２３  パネル部材（取付部材）
２４  バンド
２５  クリップ本体
２６  係止部
２７  パネル当接部
２８  バンド通し穴
２９  支柱部（ハーネス接触部と係止部との間の部分）
３０  係止羽根
３１  ハーネス接触面
３２  左穴壁（穴壁）
３３  右穴壁（穴壁）
３４  上穴壁
３５  下穴壁
３６、３６′  切り込み部
３７  突起
４１  クリップ本体
４２  位置ずらし部分
４３  第一支柱部
４４  第二支柱部
Ａ  ワイヤハーネス取り外し方向
【図１】
2008172936.tif 000003
【図２】
2008172936.tif 000004
【図３】
2008172936.tif 000005
【図４】
2008172936.tif 000006
【図５】
2008172936.tif 000007
【図６】
2008172936.tif 000008
【図７】
2008172936.tif 000009
【図８】
2008172936.tif 000010